(57)【要約】      （修正有）【課題】運転者の覚醒度を検出して、運転者に覚醒を促すと共に、運転者が手動運転できる程度に覚醒したときに、自動走行から手動走行への移行を許可する乗物用シートを提供する。【解決手段】自動走行可能な車両３に搭載され、運転者を支持するシート本体７と、車両制御装置５に通信可能なシート制御装置１０と、運転者の覚醒度を検出する覚醒度センサ８と、運転者に覚醒を促す刺激を与える覚醒装置９とを備え、シート制御装置は、車両制御装置から自動走行から手動走行への切り替えを開始する場合に出力される開始信号を受信したときに、覚醒度センサからの信号に基づいて運転者の覚醒度を検出し、覚醒度が所定の第１覚醒度閾値より小さいときには、覚醒装置を駆動させ、且つ、駆動した状態に維持し、覚醒度が第１覚醒度閾値以上となったときに、車両制御装置に車両の手動走行への切り替えを許可する信号を送信する。【選択図】図１
2019006151.tif 000002
【特許請求の範囲】
【請求項１】
自動走行可能な車両に搭載され、運転者を支持するシート本体と、
前記車両を自動走行させる車両制御装置と通信可能なシート制御装置と、
前記シート本体に設けられ、前記運転者の覚醒度を検出する覚醒度センサと、
前記シート本体に設けられ、前記運転者に覚醒を促す刺激を与える覚醒装置とを備え、
前記シート制御装置は、前記車両制御装置から自動走行から手動走行への切り替えを開始する場合に出力される開始信号を受信したときに、前記覚醒度センサからの信号に基づいて、前記運転者の前記覚醒度を検出し、前記覚醒度が所定の第１覚醒度閾値より小さいときには、前記覚醒装置を駆動させ、且つ、駆動した状態に維持し、前記覚醒度が第１覚醒度閾値以上となったときに、前記車両制御装置に前記車両の手動走行への切り替えを許可する信号を送信することを特徴とする乗物用シート。
【請求項２】
前記シート制御装置は、前記覚醒度に応じて与える刺激の強度、時間、周期、及び、タイミングの少なくとも１つを変更させることを特徴とする請求項１に記載の乗物用シート。
【請求項３】
前記覚醒度センサは、心拍センサ、呼吸センサ、又は、前記シート本体の前記運転者に対向する面の圧力分布を計測する圧力センサを含むことを特徴とする請求項１又は請求項２に記載の乗物用シート。
【請求項４】
前記覚醒度センサは、前記シート本体の前記運転者の頭部に対向する位置に設けられた脳波センサを含むことを特徴とする請求項１〜請求項３のいずれか１つの項に記載の乗物用シート。
【請求項５】
前記シート制御装置は、前記覚醒度が前記第１覚醒度閾値より小さい所定の第２覚醒度閾値より小さいときには、前記覚醒度センサからの出力に基づいて、前記運転者がレム睡眠にあるか、ノンレム睡眠にあるかを含む睡眠度を算出し、前記睡眠度に基づいて、前記運転者に与える前記刺激を変更することを特徴とする請求項１〜請求項４のいずれか１つの項に記載の乗物用シート。
【請求項６】
前記シート制御装置は、前記車両制御装置から前記自動走行から前記手動走行へ切り替える切替時刻を通知する信号を受信し、前記切替時刻の所定時間前に前記覚醒装置を駆動させることを特徴とする請求項１〜請求項５のいずれか１つの項に記載の乗物用シート。
【請求項７】
前記シート制御装置は、前記覚醒装置を駆動させた後、所定の時間に渡って、前記運転者の前記覚醒度が前記第１覚醒度閾値より小さい値に維持されていると判断したときには、前記車両制御装置に車両停止信号を送信することを特徴とする請求項１〜請求項６のいずれか１つの項に記載の乗物用シート。
【請求項８】
前記覚醒装置は、前記運転者に光を照射する光源、前記運転者に振動を与える振動源、音を発生する音源、前記運転者の身体の少なくとも一部を加熱又は冷却する熱源、及び、前記運転者に電気的な前記刺激を与える電気刺激発生源の少なくとも１つを含むことを特徴とする請求項１〜請求項７のいずれか１つの項に記載の乗物用シート。
【請求項９】
前記シート本体は、自動運転位置と手動運転位置とに車体に変位可能に設けられ、
前記シート本体と前記車体との間には、前記シート本体を前記自動運転位置と前記手動運転位置との間を移動させる駆動装置が設けられ、
前記覚醒装置は、前記運転者に前記刺激を与えるため、前記駆動装置に前記シート本体を前記自動運転位置から前記手動運転位置に変位させることを特徴とする請求項１〜請求項８のいずれか１つの項に記載の乗物用シート。
【請求項１０】
前記シート本体に対して可動なアームレストを更に含み、
前記覚醒装置は、前記運転者に前記刺激を与えるため、前記アームレストを変位させることを特徴とする請求項９に記載の乗物用シート。
【請求項１１】
前記自動運転位置において、前記シート本体は、前記車体に対して、略鉛直方向を軸線として回転可能となり、
前記手動運転位置において、前記シート本体は、前記車体に対して、前方を向くように配置されることを特徴とする請求項９に記載の乗物用シート。
【発明の詳細な説明】
【技術分野】
【０００１】
本発明は、自動走行可能な車両に搭載される乗物用シートに関する。
【背景技術】
【０００２】
運転者がハンドル動作を行い、先行する車両を自動追従する車両において、運転者の操作するハンドルの操舵角の時間変化に基づいて、運転者の覚醒度を検出し、覚醒度が所定レベル以下であると判定された場合に、運転者に警報を与える車両運転制御装置がある（例えば、特許文献１）。特許文献１の車両運転制御装置は、所定の回数の警告を行って運転者を覚醒させた後、更に、運転者の覚醒度が所定レベル以下であると判定した場合には、自動追従走行を禁止し、運転者にハンドル動作をさせて、覚醒を促す。
【先行技術文献】
【特許文献】
【０００３】
【特許文献１】特開平６−１７１３９１号公報
【発明の概要】
【発明が解決しようとする課題】
【０００４】
しかしながら、特許文献１の車両運転制御装置において、運転者が、所定の回数の警報後に、ハンドル動作可能である程度に十分覚醒していない場合がある。自動走行可能な車両において、運転者が十分覚醒していない状態での自動走行から手動走行への移行は危険なため、運転者の覚醒度を正確に検出する必要がある。特に、乗物用シートは、運転者と接するため、運転者の覚醒度をより正確に検出できると期待される。
【０００５】
本発明は、以上の背景を鑑み、運転者の覚醒度を検出して、運転者に覚醒を促すと共に、車両を自動走行から手動走行へ安全に移行させることのできる乗物用シートを提供することを課題とする。
【課題を解決するための手段】
【０００６】
上記課題を解決するために、自動走行可能な車両（３）に搭載され、運転者を支持するシート本体（７）と、前記車両を自動走行させる車両制御装置（５）と通信可能なシート制御装置（１０）と、前記シート本体に設けられ、前記運転者の覚醒度を検出する覚醒度センサ（８）と、前記シート本体に設けられ、前記運転者に覚醒を促す刺激を与える覚醒装置（９）とを備え、前記シート制御装置は、前記車両制御装置から自動走行から手動走行への切り替えを開始する場合に出力される開始信号を受信したときに、前記覚醒度センサからの信号に基づいて、前記運転者の前記覚醒度を検出し、前記覚醒度が所定の第１覚醒度閾値より小さいときには、前記覚醒装置を駆動させ、且つ、駆動した状態に維持し、前記覚醒度が第１覚醒度閾値以上となったときに、前記車両制御装置に前記車両の手動走行への切り替えを許可する信号を送信する乗物用シート（１）が提供される。
【０００７】
この態様によれば、運転者の覚醒度を検出して、検出された覚醒度が小さい場合には、運転者に覚醒を促す刺激が与えられ、運転者の覚醒度が十分大きくなった場合に、手動走行への切り替えが許可されるため、車両を自動走行から手動走行へ安全に移行させることができる。
【０００８】
また、上記の態様において、前記シート制御装置は、前記覚醒度に応じて与える刺激の強度、時間、周期、及び、タイミングの少なくとも１つを変更させるとよい。
【０００９】
この態様によれば、運転者に覚醒を促す刺激が適切に与えられる。
【００１０】
また、上記の態様において、前記覚醒度センサは、前記シート本体に設けられた心拍センサ（２１）、呼吸センサ（２２）、及び、前記シート本体の前記運転者に対向する面の圧力分布を計測する圧力センサ（２３）の少なくとも１つを含むとよい。
【００１１】
この態様によれば、運転者の覚醒度が適切に検出される。
【００１２】
また、上記の態様において、前記覚醒度センサは、前記シート本体の前記運転者の頭部に対向する位置に設けられた脳波センサ（２４）を含むとよい。
【００１３】
この態様によれば、運転者の覚醒度が適切に検出される。
【００１４】
また、上記の態様において、前記シート制御装置は、前記覚醒度が前記第１覚醒度閾値より小さい所定の第２覚醒度閾値より小さいときには、前記覚醒度センサからの出力に基づいて、前記運転者がレム睡眠にあるか、ノンレム睡眠にあるかを含む睡眠度を算出し、前記睡眠度に基づいて、前記運転者に与える前記刺激を変更するとよい。
【００１５】
この態様によれば、運転者に睡眠度に応じた刺激を与えることで、運転者を覚醒させ易くなる。
【００１６】
また、上記の態様において、前記シート制御装置は、前記車両制御装置から前記自動走行から前記手動走行へ切り替える切替時刻を通知する信号を受信し、前記切替時刻の所定時間前に前記覚醒装置を駆動させるとよい。
【００１７】
この態様によれば、運転者が覚醒するまでに時間が必要な場合であっても、その時間を確保することができる。
【００１８】
また、上記の態様において、前記シート制御装置は、前記覚醒装置を駆動させた後、所定の時間に渡って、前記運転者の前記覚醒度が前記第１覚醒度閾値より小さい値に維持されていると判断したときには、前記車両制御装置に車両停止信号を送信するとよい。
【００１９】
この態様によれば、運転者を手動走行に適した状態まで覚醒させることが期待できない場合に、車両を停止させることができる。
【００２０】
また、上記の態様において、前記運転者に光を照射する光源（３１）、前記運転者に振動を与える振動源（３２）、音を発生する音源（３３）、前記運転者の身体の少なくとも一部を加熱又は冷却する熱源（３４）、及び、前記運転者に電気的な前記刺激を与える電気刺激発生源（３５）の少なくとも１つを含むとよい。
【００２１】
この態様によれば、運転者に覚醒を促す刺激が適切に与えられる。
【００２２】
また、上記の態様において、前記シート本体は、自動運転位置と手動運転位置とに車体に変位可能に設けられ、前記シート本体と前記車体との間には、前記シート本体を前記自動運転位置と前記手動運転位置との間を移動させる駆動装置（５０）が設けられ、前記覚醒装置は、前記運転者に前記刺激を与えるため、前記駆動装置に前記シート本体を前記自動運転位置から前記手動運転位置に変位させるとよい。
【００２３】
この態様によれば、手動運転に適切な位置にシートを移動することによって、運転者に覚醒を促す刺激が与えられる。
【００２４】
また、上記の態様において、前記シート本体に対して可動なアームレスト（６１）を更に含み、前記覚醒装置は、前記アームレストの位置を変位可能に形成されているとよい。
【００２５】
この態様によれば、アームレストを手動運転時に適切な位置に移動させると共に、アームレストの移動によって、運転者に覚醒を促す刺激を与えることができる。
【００２６】
また、上記の態様において、前記自動運転位置において、前記シート本体は、前記車体に対して、略鉛直方向を軸線として回転可能となり、前記手動運転位置において、前記シート本体は、前記車体に対して、前方を向くように配置されるとよい。
【００２７】
この態様によれば、自動走行時には、シート本体を移動させることで、乗員同士が向き合う位置に着座することができる。更に、手動走行に切り替わるときに、シート本体の位置が手動走行に適切な位置に移動するため、運転者に覚醒を促す刺激を与えることができる。
【発明の効果】
【００２８】
以上の構成によれば、運転者の覚醒度を検出して、運転者に覚醒を促すと共に、車両を自動走行から手動走行へ安全に移行させることのできる乗物用シートを提供することができる。
【００２９】
また、本発明の一態様において、覚醒度センサは、シート本体に設けられた心拍センサ、呼吸センサ、及び、シート本体の運転者に対向する面の圧力分布を計測する圧力センサの少なくとも１つを含む構成としたため、運転者の覚醒度が適切に検出される。
【００３０】
また、本発明の一態様において、覚醒度センサは、シート本体の運転者の頭部に対向する位置に設けられた脳波センサを含む構成としたため、運転者の覚醒度が適切に検出される。
【００３１】
また、本発明の一態様において、シート制御装置は、覚醒度が第１覚醒度閾値より小さい所定の第２覚醒度閾値より小さいときには、覚醒度センサからの出力に基づいて、運転者がレム睡眠にあるか、ノンレム睡眠にあるかを含む睡眠度を算出し、睡眠度に基づいて、運転者に与える刺激を変更する構成としたため、運転者に睡眠度に応じた刺激が与えられ、運転者が覚醒し易くなる。
【００３２】
また、本発明の一態様において、シート制御装置は、車両制御装置から自動走行から手動走行へ切り替える切替時刻を通知する信号を受信し、切替時刻の所定時間前に覚醒装置を駆動させる構成としたため、運転者が覚醒するまでに時間が必要な場合であっても、覚醒するまでに必要となる時間を確保することができる。
【００３３】
また、本発明の一態様において、シート制御装置は、覚醒装置を駆動させた後、所定の時間に渡って、運転者の覚醒度が第１覚醒度閾値より小さい値に維持されていると判断したときには、車両制御装置に車両停止信号を送信する構成としたため、運転者の覚醒度が十分向上することが期待できない場合に、車両を停止させることができる。
【００３４】
また、本発明の一態様において、運転者に光を照射する光源、運転者に振動を与える振動源、音を発生する音源、運転者の身体の少なくとも一部を加熱又は冷却する熱源、及び、運転者に電気的な刺激を与える電気刺激発生源の少なくとも１つを含む構成としたため、運転者に覚醒を促す刺激が適切に与えられる。
【００３５】
また、本発明の一態様において、シート本体は、自動運転位置と手動運転位置とに車体に変位可能に設けられ、シート本体と車体との間には、シート本体を自動運転位置と手動運転位置との間を移動させる駆動装置が設けられ、覚醒装置は、運転者に刺激を与えるため、駆動装置にシート本体を自動運転位置から手動運転位置に変位させる構成としたため、運転者に覚醒を促す刺激が与えられる。
【００３６】
また、本発明の一態様において、シート本体に対して可動なアームレストを更に含み、覚醒装置は、アームレストの位置を変位可能に形成されている構成としたため、アームレストを手動運転時に適切な位置に移動させると共に、アームレストの移動によって、運転者に覚醒を促す刺激を与えることができる。
【００３７】
また、本発明の一態様において、自動運転位置において、シート本体は、車体に対して、略鉛直方向を軸線として回転可能となり、手動運転位置において、シート本体は、車体に対して、前方を向くように配置される構成としたため、シート本体を移動させることで、乗員同士が向き合う位置に着座することができる。更に、手動走行に切り替わるときに、シート本体の位置が手動走行に適切な位置に移動するため、運転者に覚醒を促す刺激を与えることができる。
【図面の簡単な説明】
【００３８】
【図１】本実施形態に係る乗物用シートの模式図
【図２】シート制御装置が実行する運転者モニタ処理のフローチャート
【図３】図２の覚醒処理の詳細を示すフローチャート
【図４】第２実施形態に係る運転者モニタ処理のフローチャート
【図５】第３実施形態に係る（Ａ）自動走行位置、及び、（Ｂ）手動走行位置における乗物用シートの模式図
【図６】第４実施形態に係る上昇位置（実線）及び下降位置（破線）におけるアームレストの位置を示す模式図
【発明を実施するための形態】
【００３９】
以下、本発明に係る乗物用シートの４つの実施形態について、図１〜図６を参照して説明する。
【００４０】
＜＜第１実施形態＞＞
本発明に係る乗物用シート１は、図１に示されるように、運転者が着座するシートであり、自動走行可能な車両３に搭載される。車両３の車体４の下部には、車両３を自動走行させ、車両３の状況及び周辺の状況を判断して、自動走行から手動走行に切り替える車両制御装置５が搭載されている。車両制御装置５は、所定のメモリ、及び、信号を出入力する通信ポート６を備える中央演算処理装置（ＣＰＵ）であって、車両３の自動走行から手動走行への切り替えを開始するときに、通信ポート６から開始信号を出力する。また、車両制御装置５は、通信ポート６に切替許可信号が入力されると、車両３を自動走行から手動走行へ切り替える。更に、車両制御装置５は、通信ポート６に車両停止信号が入力されると、車両３を待避場所（例えば、サービスエリアや駐車場等）に自動走行させ、停車させる。
【００４１】
乗物用シート１は、車体４に対して変位可能なシート本体７を有する。シート本体７は、運転者の臀部及び大腿部を支持するシートクッション１１、運転者の背部を支持するシートバック１２、及び、シートバック１２の上部に接続され、運転者の頭部後方に配置されるヘッドレスト１３を備える。
【００４２】
乗物用シート１は、シート本体７に設けられ、運転者の覚醒度を検出する覚醒度センサ８を有する。覚醒度センサ８は、心拍センサ２１、呼吸センサ２２、圧力センサ２３、及び、脳波センサ２４のいずれか１つを含む。心拍センサ２１はシートバック１２の前面に設けられ、好ましくは、運転者の心臓に対応する位置に配置される。心拍センサ２１は、運転者の心臓が一定時間内に拍動する数（心拍数）をカウントするセンサであって、タッチ式、光学式、心電式のいかなる方式に基づくものであってもよい。呼吸センサ２２は、運転者の呼吸数や呼吸の深さを検出するセンサである。呼吸センサ２２は、例えば、シートバック１２の前面の運転者の肺に対応する位置において、運転者から加わる圧力を検出し、運転者の呼吸運動によって生じた圧力変化を読み取る方式や、シートバック１２の前面に沿って２枚のシート状の電極を設け、その電極間の静電容量の人の胸部の動きによる変動を検出する方式に基づくものが考えられるが、いかなる方式に基づくものであってもよい。圧力センサ２３は、シート本体７に加わる圧力によって運転者の姿勢を検出するために用いられるセンサである。圧力センサ２３は、シートクッション１１及びシートバック１２の運転者に対向する面に面状をなして設けられ、運転者からそれらに加わる圧力の面内分布（圧力分布）を計測し、運転者の姿勢を検出する。脳波センサ２４は、ヘッドレスト１３の運転者の頭部に対向する位置に設けられた磁気センサを含み、運転者の脳細胞の活動に伴う磁気信号を検出して、運転者の脳波を算出する。これらのセンサのいずれかを含む覚醒度センサ８を用いることで、運転者の覚醒度を適切に検出することができる。
【００４３】
乗物用シート１は、シート本体７に設けられ、運転者に覚醒させるための刺激を与える覚醒装置９を有する。覚醒装置９は、シート本体７に設けられる光源３１、振動源３２、音源３３、熱源３４、及び、電気刺激発生源３５の少なくとも１つを含む。光源３１は、シートバック１２又はヘッドレスト１３に設けられ、運転者の頭部に光を照射することができる装置であり、例えば、ＬＥＤ等のライトである。振動源３２は、シートクッション１１又はシートバック１２に設けられ、運転者に振動を伝えることができる装置であり、例えば、振動モータである。音源３３は、シート本体７、好ましくは、ヘッドレスト１３に設けられ、運転者に向けて音を発する装置であり、例えば、スピーカ等である。熱源３４は、運転者の身体の一部を、加熱又は冷却する装置であって、本実施形態では、ヘッドレスト１３に設けられ、運転者の頭部を加熱又は冷却するヒータ及びペルチェ素子である。電気刺激発生源３５は、シートクッション１１又はシートバック１２の運転者に対向する面に設けられた２つの電極を有し、その２つの電極間に所定の電圧を加えることによって、運転者に電気的な刺激を与えることができる装置である。光源３１、振動源３２、音源３３、熱源３４、及び、電気刺激発生源３５を用いることで、運転者に覚醒を促す刺激を与えることができる。
【００４４】
乗物用シート１は、シート本体７に設けられ、車両制御装置５、覚醒度センサ８、及び覚醒装置９を制御するシート制御装置１０を有する。シート制御装置１０は所定のメモリ、及び、通信ポート４１を備える中央演算処理装置（ＣＰＵ）であって、シート本体７に設けられ、好ましくは、シートクッション１１の下側に配置される。シート制御装置１０は、自らの通信ポート４１と車両制御装置５の通信ポート６とを繋ぐケーブルを介して、車両制御装置５と通信可能に構成されている。
【００４５】
シート制御装置１０は、車両３が自動走行し、手動走行への切替が開始されるときに、図２及び図３に示される運転者モニタ処理を行う。以下では、図２及び図３を参照して、運転者モニタ処理について説明する。
【００４６】
運転者モニタ処理の最初のステップにおいて、シート制御装置１０は、車両制御装置５から開始信号を受信したかを判定する（ステップＳＴ１）。開始信号を受信していないときは、運転者モニタ処理を完了する。このとき、車両３は自動走行状態に維持される。開始信号を受信したときには、ステップＳＴ２を実行する。
【００４７】
ステップＳＴ２において、シート制御装置１０は、覚醒度センサ８の出力に基づいて、運転者の覚醒度を検出する。覚醒度は、運転者が熟睡状態にある場合を零とし、覚醒するにつれて上昇する数値として定義されている。覚醒度センサ８が心拍センサ２１である場合には、運転開始時の運転者の心拍数と、そのときの運転者の心拍数を比較し、心拍数の減少度合いに応じて、シート制御装置１０は覚醒度を低下させるとよい。覚醒度センサ８が呼吸センサ２２である場合には、運転開始時の運転者の呼吸数と、そのときの運転者の呼吸数を比較し、呼吸数の減少度合いに応じて、シート制御装置１０は覚醒度を低下させるとよい。覚醒度センサ８が圧力センサ２３であるときには、圧力分布に基づいて、運転者の姿勢を検出し、その姿勢に応じて、運転者の覚醒度を算出するとよい。覚醒度センサ８が脳波センサ２４である場合には、運転者の脳波の波形に基づいて、運転者の覚醒度を算出するとよい。また、シート制御装置１０は、心拍数、呼吸数、圧力分布、及び、脳波のうち、複数を用いて、運転者の覚醒度を算出してもよい。シート制御装置１０は、心拍数、呼吸数、姿勢、脳波等の覚醒度センサ８の出力に基づいて、運転者の覚醒度を検出し、検出が完了すると、シート制御装置１０は、ステップＳＴ３を実行する。
【００４８】
ステップＳＴ３において、シート制御装置１０は、運転者の覚醒度が第１覚醒度閾値以上であるかを判定する。第１覚醒度閾値は、運転者が十分手動運転可能であるときの、運転者の覚醒度の値として定めるとよい。覚醒度が第１覚醒度以上であるときには、シート制御装置はステップＳＴ４を実行し、覚醒度が第１覚醒度より小さいときには、シート制御装置はステップＳＴ５を実行する。
【００４９】
ステップＳＴ４において、シート制御装置１０は、切替許可信号を車両制御装置５に送信する。車両制御装置５は、切替許可信号を受信すると、車両３を自動走行から手動走行に切り替える。このとき、運転者の覚醒度は第１覚醒度以上であり、運転者が十分覚醒しているため、運転者は安全に車両３を手動走行させることができる。
【００５０】
ステップＳＴ５において、シート制御装置１０は、覚醒処理を実行する。以下では、図３を参照して、覚醒処理の詳細を説明する。
【００５１】
シート制御装置１０は、覚醒処理の最初のステップとして、覚醒度が第２覚醒度閾値以上であるかを判定する（ステップＳＴ１１）。第２覚醒度閾値は、運転者がレム睡眠、ノンレム睡眠を含む睡眠状態であるときの覚醒度の値として定めるとよい。シート制御装置１０は、覚醒度が第２覚醒度閾値以上のときにはステップＳＴ１３を実行し、覚醒度が第２覚醒度閾値より小さいときには、運転者は睡眠状態にあると判定してステップＳＴ１２を実行する。
【００５２】
ステップＳＴ１２において、シート制御装置１０は、覚醒度センサ８の出力（心拍、呼吸数、圧力分布、脳波等）に基づいて、眠りの深さを示す睡眠度を算出する。睡眠度は、例えば、レム睡眠を１とし、ノンレム睡眠を眠りの深さに応じて２から５とするとよい。睡眠度が５であるときは、眠りが最も深い状態に対応している。睡眠度の算出が完了すると、シート制御装置１０はステップＳＴ１３を実行する。
【００５３】
シート制御装置１０は、ステップＳＴ１３において、覚醒度及び睡眠度に基づいて、それぞれの覚醒装置９から発生させる刺激の強度、時間、周期、及び、タイミング（刺激パラメータ）の少なくとも１つを決定する。例えば、シート制御装置１０は、覚醒度に反比例して、所定の覚醒装置９（例えば、光源３１）の刺激の強度を大きく設定し、睡眠度が所定の値以上であるときには、更に、別の覚醒装置９（例えば、振動源３２）から、運転者に刺激を与えるように、刺激パラメータを設定してもよい。
【００５４】
刺激パラメータの設定が完了すると、シート制御装置１０は、覚醒装置９を刺激パラメータに基づいて駆動し、運転者に刺激を与える（ステップＳＴ１４）。シート制御装置１０は、覚醒装置９が駆動していない場合には、覚醒装置９を起動して、運転者に刺激を与え、更に、運転者に刺激を与え始めた覚醒開始時刻を記録する。シート制御装置１０は、覚醒装置９が既に駆動し、運転者に刺激が与えられている場合には、刺激パラメータに基づいて、覚醒装置９から発生させる刺激の強度、時間、周期、及び、タイミングを変更する。刺激付与・開始時刻の記録・刺激変更が完了すると、シート制御装置１０は、図２に示された運転者モニタ処理のステップＳＴ６を実行する。
【００５５】
シート制御装置１０は、ステップＳＴ６において、現在の時刻と覚醒開始時刻との差である刺激時間（運転者に刺激が与えられている時間）を算出し、刺激時間が所定の時間閾値以上であるかを判定する。時間閾値は、覚醒装置９によって睡眠状態の運転者が覚醒するまでに要する時間を目安として設定され、本実施形態では、１分程度に設定されている。刺激時間が時間閾値以上継続されているときには、覚醒装置９によって運転者を覚醒させることが難しい。シート制御装置１０は、刺激時間が時間閾値以上であると判断したときには、車両制御装置５に車両停止信号を送信して（ステップＳＴ７）、運転者モニタ処理を完了する。時間閾値以上経過していない場合には、ステップＳＴ２に戻り、運転者の覚醒度の検出、覚醒処理を行う。シート制御装置１０は、刺激時間が時間閾値以上継続されているときに、車両停止信号を送信し、車両３を待避場所に移動させ、停車させることができるため、運転者の覚醒が困難な場合にも、車両３の安全を確保することができる。
【００５６】
以上のように構成した第１実施形態に係る乗物用シート１の効果について説明する。ステップＳＴ２において、運転者の覚醒度を検出し、覚醒度が第１覚醒度以上となるまで、運転者に覚醒を促す刺激が与えられる。したがって、運転者が手動運転できる程度に覚醒したときに、切替許可信号が車両制御装置５に送信され、手動走行への切り替えが許可されるため、自動走行から手動走行への移行が安全に行われる。
【００５７】
ステップＳＴ１３において、シート制御装置１０は睡眠度に応じて刺激パラメータを変更させる。そのため、運転者が睡眠状態にある場合でも、睡眠度に応じた刺激を与えることができ、適切に運転者を覚醒させることができる。
【００５８】
＜＜第２実施形態＞＞
第２実施形態に係る乗物用シート１では、第１実施形態の乗物用シート１に比べて、車両制御装置５が、自動走行から手動走行へ切り替える切替時刻を通知する信号を含めた開始信号をシート制御装置１０に送信する点と、図４に示されるように、運転者モニタ処理において、ステップＳＴ１の代わりに、ステップＳＴ２１、ＳＴ２２が設けられている点とが異なる。
【００５９】
ステップＳＴ２１において、シート制御装置１０は、切替時刻を通知する信号を含んだ開始信号を受信したかを判定する。切替時刻を通知する信号を含んだ開始信号を受信していないときには、運転者モニタ処理を完了する。切替時刻を通知する信号を含んだ開始信号を受信したときには、切替時刻の所定時間前の時刻になるまで待機する（ステップＳＴ２２）。その所定時間は、運転者が手動運転可能に覚醒するまでに要する時間よりも長く設定される。切替時刻よりも所定時間前の時刻になると、シート制御装置１０は、ステップＳＴ２以降を実行し、運転者の覚醒度が第１覚醒度以下であるときには、運転者に覚醒を促す刺激を与える覚醒処理を実行する。
【００６０】
第２実施形態に係る乗物用シート１では、運転者が覚醒するまでに時間を要する場合であっても、手動走行に切り替えられるまでに、運転者が十分覚醒するのに要する時間が確保されているため、運転者を手動運転可能な程度に覚醒させることができる。
【００６１】
＜＜第３実施形態＞＞
第２実施形態に係る乗物用シート１では、シート本体７が車体４に対して変位可能である点と、覚醒装置９がシート本体７を車体４に対して変位させる駆動装置５０を含む点とが異なる。図５（Ａ）及び（Ｂ）に示されるように、シート本体７は、車体４に対して、略鉛直方向を軸線Ｘとして回転可能に結合され、着座する運転者が前方を向く手動運転位置（図５（Ａ））と、着座する運転者が後方に向き、後部座席に向き合う自動運転位置（図５（Ｂ））との間を変位することができる。手動運転位置にあるとき、シート本体７は、ハンドル５１を把持する運転者に負担が掛からず、運転者の足がアクセルペダル等のペダル５２に無理なく届く位置に配置される。駆動装置５０は、シート本体と車体４との間に設けられ、シート制御装置１０からの信号を受信して、シート本体７を車体４に対して軸線Ｘに対して回転させ、自動運転位置と手動運転位置との間で変位させる。
【００６２】
本実施形態では、車両制御装置５とシート制御装置１０とは、共に、軸線Ｘに沿って設けられている。このように配置することによって、車両制御装置５とシート制御装置１０とを繋ぐ配線にシート本体７の回転による負担が掛かり難くなる。
【００６３】
第３実施形態において、シート制御装置１０は、運転者モニタ処理のステップＳＴ５の覚醒処理において、駆動装置５０にシート本体７を自動運転位置から手動運転位置に変位させる。そのシート本体７の回転によって、運転者には覚醒を促す刺激が与えられる。
【００６４】
第３実施形態に係る乗物用シート１では、自動走行時には、シート本体７を移動させることで、乗員同士が向き合う位置に着座することができ、車内にリラックスできる空間を提供することができる。更に、手動走行に切り替わるときに、シート本体７の位置が手動走行に適切な位置に移動することによって、運転者に覚醒を促す刺激を与えることができる。そのため、手動走行に切り替わるときに、運転者を覚醒させるための動作とシート本体７との移動を一度に行うことができるため、別途覚醒を促す刺激を与える動作を必要としない。
【００６５】
＜＜第４実施形態＞＞
第４実施形態に係る乗物用シート１のシート本体７には、図６に示されるように、シートバック１２の車内側の側壁に、一端において、シート本体７に対して左右方向を軸線とする回転可能に支持されたアームレスト６１が設けられている。更に、シートバック１２とアームレスト６１との間には、アームレスト６１のシートバック１２に対する回動を制御するアームレスト制御装置６２とが設けられている。アームレスト制御装置６２は、シート制御装置１０に接続され、所定の信号を受信して、アームレスト６１を前方に延びる上昇位置（実線）と、下方に延びる下降位置（破線）との間を変位させる。アームレスト６１が上昇位置にあるとき、運転者の腕をアームレスト６１に載置することができるため、シート本体７は手動運転に適した手動運転位置となる。一方、アームレスト６１が下降位置にあるとき、運転者は腕を自由に動かすことができるため、シート本体７は自動運転に適した自動運転位置となる。
【００６６】
第４実施形態において、シート制御装置１０は、運転者モニタ処理のステップＳＴ５の覚醒処理において、アームレスト制御装置６２にアームレスト６１を下降位置から上昇位置に変位させる。アームレスト６１の変位によって、シート本体７は、自動運転位置から手動運転位置に変位し、運転者には覚醒を促す刺激が与えられる。したがって、アームレスト６１の移動と運転者を覚醒させる動作を一度に行うことができる。
【００６７】
以上で具体的実施形態の説明を終えるが、本発明は上記実施形態に限定されることなく幅広く変形実施することができる。上記実施形態では、覚醒度センサ８によって運転者が覚醒しているかを判断していたが、例えば、覚醒度センサ８の代わりに、運転者の疲労度や体調等を検出する所定のバイオセンサを用い、疲労度や体調に基づいて、運転者に与える刺激を変更するように構成してもよい。また、シート制御装置１０が、覚醒度センサ８に含まれる心拍センサ２１が、運転者の心停止などを示す心拍の異常を察知したときには、車両停止信号を送信するように構成してもよい。また、そのときに、シート制御装置１０は、電気刺激発生源３５を制御し、運転者の心臓を正常なリズムで駆動させるように、適切な電気刺激を与えるように構成してもよい。
【００６８】
上記実施形態では、シート制御装置１０はシート本体７に設けられていたが、この態様には限定されず、例えば、シート制御装置１０は車両制御装置５と一体に、車体４に設けられていてもよい。
【００６９】
上記第４実施形態では、アームレスト６１はシートバック１２に回動可能に結合されていたが、この態様には限定されず、アームレスト６１がシートバック１２に対して可動に結合されていれば、いかなる態様であってもよい。
【符号の説明】
【００７０】
１        ：乗物用シート
２        ：運転者
３        ：車両
４        ：車体
５        ：車両制御装置
７        ：シート本体
８        ：覚醒度センサ
９        ：覚醒装置
１０      ：シート制御装置
２１      ：心拍センサ
２２      ：呼吸センサ
２３      ：圧力センサ
２４      ：脳波センサ
３１      ：光源
３２      ：振動源
３３      ：音源
３４      ：熱源
３５      ：電気刺激発生源
５０      ：駆動装置
６１      ：アームレスト
６２      ：アームレスト制御装置
【図１】
2019006151.tif 000003
【図２】
2019006151.tif 000004
【図３】
2019006151.tif 000005
【図４】
2019006151.tif 000006
【図５】
2019006151.tif 000007
【図６】
2019006151.tif 000008